(57)【要約】      （修正有）【課題】コリメートレンズ等のレンズを所定方向で容易に組み込むことを可能とする光ピックアップ装置を提供する。【解決手段】コリメートレンズ１６は、レンズ部１６Ａと、このレンズ部１６Ａの周囲から外側に突出して一定の厚みを有するフランジ部１６Ｂと、フランジ部１６Ｂから更に−Ｙ側に向かって部分的に突出する突出部１６Ｃとを有する。また、コリメートレンズ１６が収納されるレンズ保持部４０は、孔部４０Ａと、孔部４０Ａを囲む当接部４０Ｂと、当接部４０Ｂと連続する収納部４０Ｃと、当接部４０Ｂの他の部分で連続する貯留部４０Ｄが設けられている。コリメートレンズ１６の突出部１６Ｃが、レンズ保持部４０の収納部４０Ｃに嵌め込まれることで、コリメートレンズ１６の向きが所定方向とされる。【選択図】図３
2013186916.tif 000002
【特許請求の範囲】
【請求項１】
レンズと、前記レンズが固定されるレンズ保持部とを備え、
前記レンズは、レーザー光が通過するレンズ部と、前記レンズ部の周縁から外側に突出するフランジ部と、前記フランジ部の一部を更に外側に突出させた突出部とを有し、
前記レンズ保持部は、前記レンズのフランジ部が当接する当接部と、前記突出部が収納される収納部とを有することを特徴とする光ピックアップ装置。
【請求項２】
前記レンズは、成形金型のキャビティにランナーを経由して樹脂材料を注入することにより成形され、
前記突出部は、前記ランナーに充填された前記樹脂材料の一部から成ることを特徴とする請求項１に記載の光ピックアップ装置。
【請求項３】
前記レンズは、平面視で、一方向で対向する長手方向の第１側辺および第２側辺と、前記一方向に直交する他方向で対向する短手方向の第３側辺および第４側辺を有し、
前記突出部は第３側辺または前記第４側辺から外側に突出することを特徴とする請求項１または請求項２に記載の光ピックアップ装置。
【請求項４】
前記レンズは、コリメートレンズであることを特徴とする請求項１から請求項３の何れかに記載の光ピックアップ装置。
【請求項５】
レーザー光が通過するレンズ部と、前記レンズ部の縁部から外側に突出するフランジ部と、を有するレンズを用意する工程と、
前記レンズをレンズ保持部に固着する工程と、を具備し、
前記レンズの前記フランジ部の一部を外側に突出させて突出部を設け、前記突出部を前記レンズ保持部に設けた凹状の収納部に嵌合させることを特徴とすることを特徴とする光ピックアップ装置の製造方法。
【請求項６】
前記レンズは、成形金型のキャビティにランナーを経由して樹脂材料を注入することにより成形され、
前記突出部は、前記ランナーに充填された前記樹脂材料を切断することで形成されることを特徴とする請求項５に記載の光ピックアップ装置の製造方法。
【請求項７】
前記レンズは、前記成形金型の複数のキャビティに対して、ランナーを経由して樹脂材料を注入することにより形成されることを特徴とする請求項５または請求項６に記載の光ピックアップ装置の製造方法。
【発明の詳細な説明】
【技術分野】
【０００１】
本発明は光ピックアップ装置およびその製造方法に関し、特に、特定の方向で取り付けられるレンズを備えた光ピックアップ装置およびその製造方法に関する。
【背景技術】
【０００２】
光ピックアップ装置から照射されるレーザー光を光ディスクの信号記録層に照射することによって、信号の読み出し動作や信号の記録動作を行うことが出来る光ディスク装置が普及している。また、光ディスク装置としては、ＣＤやＤＶＤ規格の光ディスクを使用するものが一般に普及しているが、最近では記録密度を更に向上させたＢｌｕ−ｒａｙ規格と呼ばれる光ディスクを使用するものが開発されている。
【０００３】
光ピックアップ装置では、レーザー装置から放射されたレーザー光を光ディスクの情報記録層に照射し、この情報記録層で反射した戻り光のレーザー光を受光素子で受光する。これにより、光ディスクからの情報の読み出しや、光ディスクへの情報の書き込みが行われる。
【０００４】
上記したレーザー光の光路には、コリメートレンズが介装される（下記特許文献１）。コリメートレンズは、レーザー光を有限光から平行光に変換する作用を有する。ここで、有限光とは、平行光以外のレーザー光のことである。また、コリメートレンズは、温度変化やディスクの記録層の厚さ等により生じる球面収差を補正するために、光ピックアップ装置の内部にて光路に沿って移動する必要があるので、移動可能なレンズホルダのレンズ保持部に固定されている。
【０００５】
図５を参照して、コリメートレンズ１０６がレンズ保持部１００に固定される構成を説明する。コリメートレンズ１０６は、レーザー光が通過するレンズ面を有するレンズ部１０６Ａと、レンズ部１０６Ａの周囲から所定の厚みで外側に向かって突出するフランジ部１０６Ｂとを有する。フランジ部１０６Ｂは、レーザー光には影響を与えず、コリメートレンズ１０６を接着させるための部位として用いられる。
【０００６】
この様な構成を有するコリメートレンズ１０６のフランジ部１０６Ｂが、レンズ保持部１００の先端に設けた収納部１０２に収納され、両者の間隙に接着剤が供給されることでコリメートレンズ１０６がレンズ保持部１００に固着される。
【０００７】
ここで、樹脂材料を射出成形することにより製造されるコリメートレンズ１０６は、一定の残存収差を有している。このことから、光ピックアップ装置全体での収差管理の容易化等を目的として、コリメートレンズ１０６を所定の方向に向けた状態でレンズ保持部１００に取り付ける必要がある。
【０００８】
このため、コリメートレンズ１０６に設けられるフランジ部１０６Ｂの一部を平坦に切り欠いて平坦部１０６Ｃが設けられ、この平坦部１０６Ｃに即した形状の当接部１０２がレンズ保持部１００に設けられている。そして、コリメートレンズ１０６をレンズ保持部１００に組み込む際に、コリメートレンズ１０６の平坦部１０６Ｃを、レンズ保持部１００の当接部１０２に当接させることにより、コリメートレンズ１０６の向きが一定と成る。これにより、コリメートレンズ１０８に残存する収差の方向が一定方向と成り、収差管理等が容易となる。
【先行技術文献】
【特許文献】
【０００９】
【特許文献１】特開２００６−２０１５５９号公報
【発明の概要】
【発明が解決しようとする課題】
【００１０】
しかしながら、コリメートレンズ１０６の収差管理等の為に、コリメートレンズ１０６に平坦部１０６Ｃを設ける上記構造では、平坦面１０６Ｃの視認性が低いので、コリメートレンズ１０６の組み込みを行う際に平坦面１０６Ｃを検出することに手間が係る場合があった。
【００１１】
更に、平坦部１０６Ｃを、射出成形が終了した後に切断加工することで形成した場合、この切断加工により新たに収差がコリメートレンズ１０６に発生してしまう場合もあった。
【００１２】
本発明は、上述した問題を鑑みて成されたものである。本発明の主な目的は、コリメートレンズ等のレンズを所定方向で容易に組み込むことを可能とする光ピックアップ装置およびその製造方法を提供することにある。
【課題を解決するための手段】
【００１３】
本発明の光ピックアップ装置は、レンズと、前記レンズが固定されるレンズ保持部とを備え、前記レンズは、レーザー光が通過するレンズ部と、前記レンズ部の周縁から外側に突出するフランジ部と、前記フランジ部の一部を更に外側に突出させた突出部とを有し、前記レンズ保持部は、前記レンズのフランジ部が当接する当接部と、前記突出部が収納される収納部とを有することを特徴とする。
【００１４】
本発明の光ピックアップ装置の製造方法は、レーザー光が通過するレンズ部と、前記レンズ部の縁部から外側に突出するフランジ部と、を有するレンズを用意する工程と、前記レンズをレンズ保持部に固着する工程と、を具備し、前記レンズの前記フランジ部の一部を外側に突出させて突出部を設け、前記突出部を前記レンズ保持部に設けた凹状の収納部に嵌合させることを特徴とすることを特徴とする。
【発明の効果】
【００１５】
本発明では、側方に突出する突出部をレンズのフランジ部に設け、この突出部に対応した形状の収納部をレンズ保持部に設けている。これにより、レンズの突出部をレンズ保持部の収納部に嵌め込むことにより、レンズを所定方向に向いた状態でレンズ保持部に組み込むことができる。この結果、レンズに発生する収差の方向が規定されるので、収差管理が容易となる。
【００１６】
更に本発明では、成形金型のキャビティにランナーを経由して樹脂材料を注入することによりレンズを成形し、このランナーで硬化した樹脂材料の一部を上記した突出部としている。従って、上記突出部の為の設計変更が必要とされないので、コスト増加を伴わずに突出部を設けることができる。
【図面の簡単な説明】
【００１７】
【図１】本発明の光ピックアップ装置に組み込まれる光学系を示す図である。
【図２】本発明の光ピックアップ装置に含まれるレンズホルダを示す斜視図である。
【図３】本発明の光ピックアップ装置を示す図であり、（Ａ）はレンズホルダにコリメートレンズが備えられる状態を示す斜視図であり、（Ｂ）は他の形態のコリメートレンズを示す図である。
【図４】本発明の光ピックアップ装置の製造方法を示す図であり、（Ａ）は使用される金型を示す平面図であり、（Ｂ）はその断面図であり、（Ｃ）は成形されるコリメートレンズを示す断面図である。
【図５】背景技術の光ピックアップ装置を部分的に示す斜視図である。
【発明を実施するための形態】
【００１８】
図１を参照して、本形態の光ピックアップ装置１０に内蔵される光学系の構成を説明する。
【００１９】
光ピックアップ装置１０は、ディスク３０にレーザー光を照射し、ディスク３０の情報記録層で反射した戻り光であるレーザー光を検出することで、ディスク３０からの情報の読み出し、またはディスク３０への情報の書き込みを行う。光ピックアップ装置１０は、ディスク再生装置等の情報記録再生装置に実装されて用いられる。
【００２０】
具体的には、光ピックアップ装置１０は、レーザー装置２８と、回折格子１２と、ハーフミラー２０と、コリメートレンズ１６と、立ち上げミラー１４と、１／４波長板１８と、対物レンズ２２と、ＤＯＥ２４と、ＰＤＩＣ２６とを主要に備えている。
【００２１】
レーザー装置２８は、所定の周波数のレーザー光を放射する機能を有し、具体的には、ＢＤ規格、ＤＶＤ規格または／およびＣＤ規格のレーザー光を放射する。
【００２２】
回折格子１２は、レーザー装置２８から放射された各レーザー光を、０次回折光、＋１次回折光及び−１次回折光に分離する。
【００２３】
ハーフミラー２０は、レーザー装置２８から放射されて回折格子１２等を経由するレーザー光を−Ｘ側に反射する一方、ディスク３０により反射されたレーザー光（戻り光）を＋Ｘ側に透過させる。
【００２４】
コリメートレンズ１６は、ハーフミラー２０にて反射されたレーザー光を平行光にする。また、コリメートレンズ１６はＸ方向に対して移動可能に設けられている。この様にすることで、温度変化に基づく対物レンズ２２の光学特性の変化が補正可能となる。更には、コリメートレンズ１６を移動させることにより、ディスク３０の情報記録層を被覆するカバー層の厚さの違いや多層構造の光記録媒体における各情報記録層のカバー厚の違いによって生じる球面収差が補正される。
【００２５】
立ち上げミラー１４は、コリメートレンズ１６を透過したレーザー光が入射され、−Ｘ方向に進行するレーザー光を、＋Ｙ方向に反射する働きを有する。
【００２６】
１／４波長板１８は、立ち上げミラー１４で反射されたレーザー光を直線偏光光から円偏光光に変換する作用を有し、逆にディスク３０にて反射された戻り光を円偏光光から直線偏光光に変換する機能を備えている。
【００２７】
対物レンズ２２は、立ち上げミラー１４の直上に配置されており、立ち上げミラー１４にてＹ方向に立ち上げられたレーザー光を、ディスク３０の情報記録層に合焦させる働きを有する。
【００２８】
ＤＯＥ２４（Diffractive Optical Element）は、所定の波長のレーザー光の進行方向を傾斜させることでＰＤＩＣ２６の所定箇所にレーザー光を照射させる機能を有する。具体的には、ＤＯＥ２４は、ＢＤ規格のレーザー光の進行方向を所定の角度で傾斜させることで、このレーザー光をＰＤＩＣの所定領域に照射する機能を有する。
【００２９】
ＰＤＩＣ２６は、光検出器として機能する信号検出用のフォトダイオード集積回路素子であり、各規格（ＢＤ規格、ＤＶＤ規格およびＣＤ規格）のレーザー光を検出すると共に、フォーカスサーボ用およびトラッキングサーボに用いられる。
【００３０】
次に、以上のように構成された光ピックアップ装置１０の読み出し動作および書き込み動作を説明する。レーザー装置２８からは、規格が異なる３つのレーザー光が放射されるが、これらのレーザー光の光路は以下に述べるようにほぼ同一である。更にまた、以下の動作は、読み出しおよび書き込みでほぼ同様である。
【００３１】
先ず、レーザー装置２８から放射されたレーザー光は、回折格子１２を通過することで０次回折光、＋１次回折光および−１次回折光に分離される。これは、ＰＤＩＣ２６にてトラッキングサーボおよびフォーカスサーボを行うためである。
【００３２】
回折格子１２を通過したレーザー光は、ハーフミラー２０にて−Ｘ方向に反射され、その後、コリメートレンズ１６により平行光に変換され、立ち上げミラー１４で反射されることによりディスク３０に対して垂直方向（＋Ｙ方向）に進行する。
【００３３】
更に、レーザー光は、１／４波長板１８を通過することで円偏光光に変換された後に、対物レンズ２２の屈折作用や回折作用により、ディスク３０の情報記録層に合焦する。
【００３４】
ディスク３０の情報記録層により反射されたレーザー光（戻り光）は、対物レンズ２２、１／４波長板１８、立ち上げミラー１４およびコリメートレンズ１６を通過してハーフミラー２０に到る。ここで、戻り光であるレーザー光は、１／４波長板１８を通過する際に円偏光光から直線偏光光に変換されており、ハーフミラー２０を透過する。
【００３５】
ハーフミラー２０をレーザー光が透過するときに非点収差が付与され、その後にＤＯＥ２４を経由してＰＤＩＣ２６に到達する。その後、レーザー光がＰＤＩＣ２６に照射されることで情報が読み出されると共に、フォーカスサーボおよびトラッキングサーボが行われる。
【００３６】
以上が光ピックアップ装置１０の構成および動作の説明である。
【００３７】
図２を参照して、上記した光ピックアップ装置１０の内部で、コリメートレンズ１６を移動させる機構を説明する。ここでは、コリメートレンズ１６はレンズホルダ３８により保持され、この状態でステッピングモータ４６の駆動力によりＸ方向に沿って移動するように構成されている。
【００３８】
具体的には、レンズホルダ３８は、＋Ｙ側から係合部３１、レンズ保持部４０、ガイド孔４８および挿通部４２が設けられている。レンズホルダ３８は、射出成形された一体の樹脂材料から成る。
【００３９】
係合部３１にガイド軸３４が係合されると共に、ガイド孔４８にガイド軸３６が挿通されることにより、レンズホルダ３８はＸ方向に対して移動可能な状態で支持されている。
【００４０】
レンズ保持部４０は、コリメートレンズ１６が固定される部位である。本形態では、コリメートレンズ１６が有する残存収差の方向を揃えるために、コリメートレンズ１６は一定方向を向いた状態でレンズ保持部４０に保持される。この事項については図３を参照して後述する。
【００４１】
挿通部４２は内部が空洞と成っており、この空洞部分に不図示のナットが収納されている。また、このナットには、スクリュー形状の送り軸４４が螺合している。従って、ステッピングモータ４６の駆動力により送り軸４４が回転すると、挿通部４２に内蔵されたナットによりレンズホルダ３８が押される。この結果、ガイド軸３４、３６に支持された状態で、コリメートレンズ１６を保持するレンズ保持部４０がＸ方向に移動する。
【００４２】
図３（Ａ）を参照して、上記したレンズホルダ３８にコリメートレンズ１６が備えられる構造を説明する。この図ではコリメートレンズ１６とレンズホルダ３８とをＸ方向に分離して図示しているが、実際の装置では、コリメートレンズ１６はレンズホルダ３８に組み込まれ、両者は接着剤で結合されている。
【００４３】
コリメートレンズ１６は、レンズ部１６Ａと、このレンズ部１６Ａの周囲から外側に突出して一定の厚みを有するフランジ部１６Ｂと、フランジ部１６Ｂから更に−Ｙ側に向かって部分的に突出する突出部１６Ｃとを有する。また、コリメートレンズ１６は、透明な樹脂材料を射出成形することで形成される。
【００４４】
レンズ部１６Ａは、レーザー光を変換する為のレンズ面を有し、平面視（Ｘ方向から見て）で円形状を呈している。
【００４５】
フランジ部１６Ｂは、レンズ部１６Ａの外周端部から外側に向かって突出するように形成されており、フランジ部１６Ｂの下面は、レンズホルダの所定箇所に当接する平坦面と成っている。また、フランジ部１６Ｂは、レンズ部１６Ａの全周を囲むように配置されているが、フランジ部１６Ｂの幅は一様ではなく、Ｙ方向に於けるフランジ部１６Ｂの幅は、Ｚ方向に於けるフランジ部１６Ｂの幅よりも長い。Ｚ方向に於けるフランジ部１６Ｂの幅が狭い理由は、Ｚ方向は光ピックアップ装置の厚み方向であり、光ピックアップ装置全体の薄型化の為にスペース的な制限が大きいからである。一方、Ｙ方向に関しては、Ｚ方向と比較するとスペース的な余裕があるので、Ｙ方向に関してフランジ部１６Ｂは幅広に形成される。従って、フランジ部１６Ｂは、＋Ｙ方向および−Ｙ方向に突出するような形状を呈する。これにより、フランジ部１６Ｂとレンズ保持部４０とが密着する面積が一定以上に確保され、充分な接合強度が得られる。
【００４６】
突出部１６Ｃは、フランジ部１６Ｂの外周端部を部分的に−Ｙ方向に突出させた部位である。突出部１６Ｃは平面視で矩形形状に突出しており、その厚みはフランジ部１６Ｂと同等である。また、突出部１６Ｃはレンズ部１６Ａやフランジ部１６Ｂと同様の材料で連続している。本形態では、突出部１６Ｃは、コリメートレンズ１６の円周方向の向きを規定するために用いられる。
【００４７】
レンズホルダ３８のレンズ保持部４０は、上記したコリメートレンズ１６を固定して保持するための部位である。レンズ保持部４０は、孔部４０Ａと、孔部４０Ａを囲む当接部４０Ｂと、当接部４０Ｂと連続する収納部４０Ｃと、当接部４０Ｂの他の部分で連続する貯留部４０Ｄが設けられている。上記したコリメートレンズ１６は、突出部１６Ｃが収納部４０Ｃに嵌め込まれるように、レンズ保持部４０に収納される。
【００４８】
孔部４０Ａは、レンズ保持部４０を円形に貫通して設けられた部位であり、コリメートレンズ１６をレンズ保持部４０に収納させると、レンズ部１６Ａが孔部４０Ａから下方に露出する。
【００４９】
当接部４０Ｂは、孔部４０Ａの周囲でレンズ保持部４０を段差上に窪ませた部位であり、コリメートレンズ１６のフランジ部１６Ｂに対応した形状を有する。コリメートレンズ１６の収納時には、フランジ部１６Ｂの下面および側面が、当接部４０Ｂの底面および内壁面に接触する。
【００５０】
収納部４０Ｃは、当接部４０Ｂと連続してレンズ保持部４０を窪ませた部位であり、突出部１６Ｃに即した形状を呈している。コリメートレンズ１６の収納時には、コリメートレンズ１６の突出部１６Ｃが、収納部４０Ｃに嵌め込まれる。
【００５１】
貯留部４０Ｄは、当接部４０Ｂと連続してレンズ保持部４０を窪ませた部位であり、当接部４０Ｂを挟むように対向した位置に２つ設けられている。貯留部４０Ｄは、コリメートレンズ１６の接着に用いられる液状の接着剤が供給される部位である。
【００５２】
図３（Ｂ）を参照して、他の形態のコリメートレンズ１６の構成を説明する。この図に示すコリメートレンズ１６の基本的な構成は図３（Ａ）に示したものと同様であり、突出部１６Ｃの形状が異なる。
【００５３】
具体的には、ここでは、突出部１６Ｃの厚み（Ｌ１）が、レンズフランジ部１６Ｂの厚み（Ｌ２）よりも薄く成っている。突出部１６Ｃの上面はフランジ部１６Ｂの上面と同一平面に配置され、突出部１６Ｃの下面がフランジ部１６Ｂの下面よりも上方に配置されることにより、突出部１６Ｃは薄く形成されている。
【００５４】
これにより、コリメートレンズ１６をレンズ保持部４０に収納させる際に、突出部１６Ｃとフランジ部１６Ｂとが連続する面を上面とすることにより、コリメートレンズ１６の表裏の取り違えが防止される。更に、図３（Ａ）に示す収納部４０Ｃの形状を、上記した突出部１６Ｃの形状に即した段差形状とすることで、コリメートレンズ１６の表裏を取り違えることを防止する効果が大きくなる。
【００５５】
ここで、上記した突出部１６Ｃとして他の形状のものが採用されても良い。具体的には、突出部１６Ｃの平面視での形状は四角形形状に限られず、三角形形状等の他の多角形でも良いし、半円形状でも良い。更に、突出部１６Ｃの個数は２個以上の複数でも良い。
【００５６】
尚、図３（Ａ）を参照して、コリメートレンズ１６の突出部１６Ｃが−Ｙ方向に突出する長さＬ３よりも、レンズ保持部４０の収納部４０ＣがＹ方向に伸びる長さＬ４を長くしても良い。これにより、コリメートレンズ１６を加工する際の誤差により突出部１６Ｃの長さＬ３が設計値よりも長い場合でも、突出部１６Ｃを確実に収納部４０Ｃに収納させることができる。
【００５７】
更に、コリメートレンズ１６に複数の突出部１６Ｃを設ける場合は、平面視で非対称な位置に突出部１６Ｃを設ける。これにより、コリメートレンズ１６の位置を間違うこと無くレンズ保持部４０に装着することが出来る。
【００５８】
また、突出部１６Ｃの厚みをフランジ部１６Ｂよりも厚くしても良い。
【００５９】
図４および上述した各図を参照して、上記した光ピックアップ装置の製造方法を説明する。
【００６０】
図４を参照して、先ず、射出成形によりコリメートレンズを成形する。図４（Ａ）は使用される金型を示す図であり、図４（Ｂ）はその断面図であり、図４（Ｃ）は成形されるコリメートレンズを示す断面図である。
【００６１】
図４（Ａ）を参照して、本工程で使用する金型５０には、行列状（２行×Ｘ列：Ｘは整数）に配置された複数のキャビティ５２と、複数のキャビティ５２と連通するランナー５４が設けられている。
【００６２】
個々のキャビティ５２は、図３に示したコリメートレンズ１６と同様の形状を有する。即ち、図４（Ｂ）を参照して、各キャビティ５２の内壁の形状は、コリメートレンズ１６のレンズ部１６Ａおよびフランジ部１６Ｂに対応した形状を呈している。
【００６３】
ランナー５４は、各キャビティに供給される液状の樹脂材料が通過する細長い経路であり、各キャビティ５２と連通している。
【００６４】
本工程では、先ず、図４（Ａ）を参照して、コリメートレンズの材料と成る樹脂材料を加熱溶融して液状または半固形状とし、ランナー５４を経由して樹脂材料を各キャビティ５２に供給する。同図では、溶融した樹脂材料が通過する経路を矢印にて示している。全てのキャビティ５２に樹脂材料が充填された後は、充填された樹脂材料を硬化させて、硬化した樹脂材料から成る各コリメートレンズ１６を金型５０から取り出す。
【００６５】
図４（Ｃ）に、金型５０から取り出した状態のコリメートレンズ１６を示す。この図に示す通り、各コリメートレンズ１６は、ランナー５４に充填された樹脂材料から成るランナー部分５６により連結されている。ここで、ランナーはゲートと称される場合もある。
【００６６】
各々のコリメートレンズ１６を分離するためには、ランナー部分５６とコリメートレンズ１６とを切断する必要がある。通常のレンズの成形方法ではランナー部分５６とコリメートレンズ１６との境界で両者を切断分離するが、本形態ではランナー部分５６を中間部で切断している。図では、ランナー部分５６が切断される箇所を点線にて示している。
【００６７】
これにより、フランジ部１６Ｂと切断箇所までのランナー部分５６が、突出部１６Ｃとしてコリメートレンズ１６に残存し、この突出部１６Ｃによりコリメートレンズ１６の取り付け方向が規定できる。コリメートレンズ１６に生じる残留収差の方向は、樹脂材料が注入される方向により決定される。従って、樹脂が注入される経路で硬化したランナー部分５６で、コリメートレンズ１６の位置決めを行うことで、光ピックアップ装置に取り付けられた状態の各コリメートレンズ１６に発生する収差の方向が一定方向とされる。これにより、先ず、光ピックアップ装置全体での収差管理が容易になる。更に、対物レンズ等の光学部品で発生する収差で、コリメートレンズ１６の残留収差を打ち消し、光ピックアップ装置全体としての総合的な収差を低減することが出来る。
【００６８】
次に、図３を参照して、成形されたコリメートレンズ１６をレンズホルダ３８のレンズ保持部４０に固定する。具体的には、コリメートレンズ１６の突出部１６Ｃが、レンズ保持部４０の収納部４０Ｃに嵌合するような位置で、コリメートレンズ１６をレンズ保持部４０の当接部４０Ｂに収納させる。本形態では、コリメートレンズ１６の方向を規定するために突出部１６Ｃを設けており、この突出部１６Ｃは容易に視認できるので、方向を間違うこと無くコリメートレンズ１６をレンズ保持部４０に収納させることが出来る。
【００６９】
コリメートレンズ１６がレンズ保持部４０に収納された後は、貯留部４０Ｄに液状の接着剤を供給して硬化させる。これにより、コリメートレンズ１６がレンズホルダ３８に固定される。
【００７０】
上記工程が終了した後は、図２に示すように、レンズホルダ３８の所定部分に、ガイド軸３４、３６、送り軸４４を組み込み、その後、レンズホルダ３８を光ピックアップ装置のハウジングの所定箇所に固定する。更に、図１に示すレーザー装置２８等の他の光学素子をハウジングに備えることにより、光ピックアップ装置１０が製造される。
【００７１】
ここで、上記した本形態では、図３（Ａ）に示すように、コリメートレンズ１６に方向認識用の突出部１６Ｃを設ける場合を説明したが、他のレンズで上記構成を実現することも可能である。例えば、上記した突出部を有する構造を対物レンズに採用することも可能である。
【００７２】
更に、上記説明ではコリメートレンズ１６により３つの規格のレーザー光を変換したが、ＣＤ規格およびＤＶＤ規格の何れかまたは両方のレーザー光をコリメートレンズ１６で変換しても良い。これは、各々の規格のレーザー光にコリメートレンズが採用される場合があるからである。
【符号の説明】
【００７３】
１０   光ピックアップ装置
１２   回折格子
１４   立ち上げミラー
１６   コリメートレンズ
１６Ａ レンズ部
１６Ｂ フランジ部
１６Ｃ 突出部
１８   １／４波長板
２０   ハーフミラー
２２   対物レンズ
２４   ＤＯＥ
２６   ＰＤＩＣ
２８   レーザー装置
３０   ディスク
３１   係合部
３４   ガイド軸
３６   ガイド軸
３８   レンズホルダ
４０   レンズ保持部
４０Ａ 孔部
４０Ｂ 当接部
４０Ｃ 収納部
４０Ｄ 貯留部
４２   挿通部
４４   送り軸
４６   ステッピングモータ
４８   ガイド孔
５０   金型
５２   キャビティ
５４   ランナー
５６   ランナー部分
【図１】
2013186916.tif 000003
【図２】
2013186916.tif 000004
【図３】
2013186916.tif 000005
【図４】
2013186916.tif 000006
【図５】
2013186916.tif 000007